(57)【要約】      （修正有）【課題】小型印刷機またはインクジェット印刷機に適用可能であり、体積が小さく、作製コストが低く、構成が簡単であり、移動性が高い光反射薄膜塗布機を提供する。【解決手段】作動シリンダー１１の横方向への引きによりゴム製の印刷ロール２０に近接させられる押付ロール１０と、ゴムで作製されたものであり、光反射薄膜をポスターに押付ける印刷ロールと、前記印刷ロールの底側に設けられ、前記印刷ロールの回転方向と逆に回転し、前記印刷ロールが直動な作動シリンダーに引かれて押し付けられる押上げロール３０と、ノズルが斜めに前記印刷ロールに向けられるエア吹付け構成４０と、内部が中空部９１に形成され、周面に貫通孔９２が複数に開設してあり、その上には、ポスターを正確な方向に案内するための案内プレートが設けてある紙吸着ロール９０と、前記押付ロールと前記押上げロールと前記印刷ロールとを駆動する動力源と、を含むことを特徴とする。【選択図】図２
0003133618.tif 000002
【実用新案登録請求の範囲】
【請求項１】
作動シリンダーの横方向への引きによりゴム製の印刷ロールに近接させられ、印刷ロールとの隙間により光反射にかわが滴下しなくなり、転がっているときに、光反射にかわが厚さ均一なフィルムになって前記印刷ロールに引かれて前記隙間を通過してポスターに押付される押付ロールと、ゴムで作製されたものであり、光反射薄膜をポスターに押付ける印刷ロールと、前記印刷ロールの底側に設けられ、前記印刷ロールの回転方向と逆に回転し、前記底側を通過した箇所では、付着される光反射にかわを除去するスクレーパーが設けてあり、前記印刷ロールが直動な作動シリンダーに引かれて押し付けられる押上げロールと、ノズルが斜めに前記印刷ロールに向けられ、ポスターが前記印刷ロールに付着されて巻上げているときに、前記ノズルから吹く出される高圧エアがポスターと前記印刷ロールとの隙間に吹き込まれて、前記印刷ロールからポスターを剥離するエア吹付け構成と、内部が中空部に形成され、周面に貫通孔が複数に開設してあり、ポスターが前記貫通孔を通す真空によって吸着されて前へ搬送され、その上には、ポスターを正確な方向に案内するための案内プレートが設けてある紙吸着ロールと、前記押付ロールと、前記押上げロールと、前記印刷ロールと、を駆動する動力源と、を含むことを特徴とする、光反射薄膜塗布機。
【請求項２】
前記押付ロールと、前記押上げロールと、前記印刷ロールとは金属製のロールであり、前記押付ロールと前記印刷ロールとの両側の下に、及び光反射にかわの滴下箇所または落下箇所では、光反射にかわを収集して回収する受け盤が設けてあり、前記押付ロールの光反射にかわの貯留箇所の液面よりやや高い箇所では、前記押付ロールに付着される光反射にかわを除去するスクレーパーが設けてあることを特徴とする、請求項１に記載の光反射薄膜塗布機。
【請求項３】
前記動力源は、更に、前記押付ロールの回転数を制御して光反射薄膜の厚さを変更するモータを含むことを特徴とする、請求項１に記載の光反射薄膜塗布機。
【考案の詳細な説明】
【技術分野】
【０００１】
本考案は、光反射薄膜塗布機に係り、特に、小型印刷機またはインクジェット印刷機に適用可能であり、体積が小さく、作製コストが低く、構成が簡単であり、移動性が高い光反射薄膜塗布機に関するものである。
【背景技術】
【０００２】
従来の光反射薄膜塗布機は体積が極めて大きく、スペースがかなり掛り、だから、小さいスペースでは光反射薄膜塗布機を設置することができなく、且つ移動性が良くない。
【０００３】
現在、市販している小型印刷機またはインクジェット印刷機は、市場が大きく、技術が成熟であり、価格がより安いので、どんどん普及になっているが、光反射薄膜塗布機が開発していないので、印刷されたものは容易に光反射薄膜を塗布できなく、外注して光反射薄膜を塗布することが必要であり、そうすると、時間を無駄にし、外注による作製コストが増加する。
【０００４】
一般に、大量に印刷する前に、ポスターの見本を印刷して光反射薄膜を塗布してお客様に見せ、お客様の認可を得ないと、大量印刷に入ることができなく、しかし、従来の光反射薄膜塗布機により見本とするポスターに光反射薄膜を塗布することは、作製コストが高すぎる。
【考案の開示】
【考案が解決しようとする課題】
【０００５】
本考案の主な目的は、小型印刷機またはインクジェット印刷機に適用可能であり、体積が小さく、作製コストが低く、構成が簡単であり、移動性が高い光反射薄膜塗布機を提供することにある。
【課題を解決するための手段】
【０００６】
上記目的を達成するためになされた本願の考案は、作動シリンダーの横方向への引きによりゴム製の印刷ロールに近接させられ、印刷ロールとの隙間により光反射にかわが滴下しなくなり、転がっているときに、光反射にかわが厚さ均一なフィルムになって前記印刷ロールに引かれて前記隙間を通過してポスターに押付される押付ロールと、ゴムで作製されたものであり、光反射薄膜をポスターに押付ける印刷ロールと、前記印刷ロールの底側に設けられ、前記印刷ロールの回転方向と逆に回転し、前記底側を通過した箇所では、付着される光反射にかわを除去するスクレーパーが設けてあり、前記印刷ロールが直動な作動シリンダーに引かれて押し付けられる押上げロールと、ノズルが斜めに前記印刷ロールに向けられ、ポスターが前記印刷ロールに付着されて巻上げているときに、前記ノズルから吹く出される高圧エアがポスターと前記印刷ロールとの隙間に吹き込まれて、前記印刷ロールからポスターを剥離するエア吹付け構成と、内部が中空部に形成され、周面に貫通孔が複数に開設してあり、ポスターが前記貫通孔を通す真空によって吸着されて前へ搬送され、その上には、ポスターを正確な方向に案内するための案内プレートが設けてある紙吸着ロールと、前記押付ロールと、前記押上げロールと、前記印刷ロールと、を駆動する動力源と、を含むことを特徴とする光反射薄膜塗布機であることを要旨としている。
【０００７】
本願の考案では、前記押付ロールと、前記押上げロールと、前記印刷ロールとは金属製のロールであり、前記押付ロールと前記印刷ロールとの両側の下に、及び光反射にかわの滴下箇所または落下箇所では、光反射にかわを収集して回収する受け盤が設けてあり、前記押付ロールの光反射にかわの貯留箇所の液面よりやや高い箇所では、前記押付ロールに付着される光反射にかわを除去するスクレーパーが設けてあることを特徴とする請求項１に記載の光反射薄膜塗布機であることを要旨としている。
【０００８】
本願の考案では、前記動力源は、更に、前記押付ロールの回転数を制御して光反射薄膜の厚さを変更するモータを含むことを特徴とする請求項１に記載の光反射薄膜塗布機であることを要旨としている。
【考案の効果】
【０００９】
本考案の光反射薄膜塗布機によれば、次のような効果がある。
（イ）小型印刷機またはインクジェット印刷機に適用可能であり、移動性が良く、少数量でも光反射薄膜を塗布可能であり、待たずに機械を起動可能である。
【００１０】
（ロ）作製コストがより低く、販売価格による競争力が高い。
【考案を実施するための最良の形態】
【００１１】
以下、添付図面を参照して本考案の好適な実施の形態を詳細に説明する。
【００１２】
まず、図１と図２を参照する。本考案の光反射薄膜塗布機は、押付ロール１０と、印刷ロール２０と、押上げロール３０と、エア吹付け構成４０と、動力源と、紙吸着ロール９０と、を含む。
【００１３】
前記押付ロール１０は、作動シリンダー１１の横方向への引きによりゴム製の印刷ロール２０に近接させられ、印刷ロール２０との隙間により光反射にかわが滴下しなくなり、転がっているときに、光反射にかわが厚さ均一なフィルムになって前記印刷ロール２０に付着して前記隙間を通過してポスターに押付され、前記押付ロール１０の光反射にかわの貯留箇所の液面よりやや高い箇所では、前記押付ロール１０に付着される光反射にかわを除去するスクレーパー１２が設けてあり、且つ前記押付ロール１０は金属で作製されたものである。
【００１４】
前記印刷ロール２０は、ゴムで作製されたものであり、光反射薄膜をポスターに押付けるものである。
【００１５】
前記押上げロール３０は、金属で作製されたものであり、前記印刷ロール２０の底側に設けられ、前記印刷ロール２０の回転方向と逆に回転し、前記底側を通過した箇所では、付着される光反射にかわを除去するスクレーパー３１が設けてあり、前記印刷ロール２０が直動な作動シリンダー２１に引かれて前記押上げロール３０に押し付けられる。
【００１６】
前記エア吹付け構成４０は、ノズル４１が斜めに前記印刷ロール２０に向けられ、光反射にかわは粘性あるので、前記印刷ロール２０により光反射薄膜をポスター５０に塗布するときに、図３に示すように、ポスター５０が印刷ロール２０に粘着して巻上げられ、このとき、ポスター５０の印刷ロール２０への粘着を中止するために、前記ノズル４０から吹き出される高圧エアがポスター５０と前記印刷ロール２０との隙間に吹き込まれて、前記印刷ロール２０からポスター５０を剥離し、その後、ポスター５０が排出方向へ持続でスムーズに移動される。
【００１７】
前記動力源は、前記押付ロール１０と、前記押上げロール３０と、前記印刷ロール２０とを駆動するものであり、更に、前記押付ロール１０の回転数を制御して光反射薄膜の厚さを変更するモータ６０を含む。
【００１８】
前記紙吸着ロール９０は、金属で作製されたものであり、内部が中空部９１に形成され、周面に貫通孔９２が複数に開設してあり、ポスター５０が前記貫通孔９２を通す真空によって吸着されて排出方向へ搬送され、その上には、ポスター５０を正確な方向に案内するための案内プレート９３が設けてある。
【００１９】
次に、図３を参照しながら本考案の使用状態を詳細に説明する。本考案の光反射薄膜塗布機を起動した後、作動シリンダー１１の横方向への引きにより押付ロール１０がゴム製の印刷ロール２０に近接させられ、押付ロール１０と印刷ロール２０との微細な隙間により光反射にかわが滴下しなくなり、且つ光反射にかわ注入管７０により光反射にかわ７１が押付ロール１０と印刷ロール２０と間に注入されて印刷ロール２０に均一に付着するようになり、押付ロール１０と印刷ロール２０とは同時に反時計方向に回転し、これにより、均一な薄膜形状の光反射にかわが印刷ロール２０に付着し、ポスター５０は光反射にかわ７１が付着している印刷ロール２０の下を通過し、作動シリンダー２１の加圧の加圧により、印刷ロール２０に付着される光反射にかわ７１がポスター５０に圧着され、ポスター５０の底面に押上げロール３０が押上げており、押上げロール３０または押付ロール１０に付着した光反射にかわ７１はスクレーパー３１またはスクレーパー１２に除去され、だから、ポスター５０の塗布面の反対面には光反射にかわ７１が付着しなくなり、そして光反射にかわ７１が圧着されたポスター５０は、エア吹付け構成４０の前記ノズル４１から吹き出される高速エアにより前記印刷ロール２０から剥離して、乾燥装置に搬送される。
【００２０】
また、図４を参照する。前記押付ロール１０と前記印刷ロール２０との両側の下に受け盤８０が設けてあり、且つ押上げロール３０の底側に受け盤８１を設けてもよく、前記受け盤８０，８１により、前記押付ロール１０と前記印刷ロール２０とのサイドから流出する光反射にかわ７１、又は押上げロール３０から除去される光反射にかわ７１が収集され、収集される光反射にかわ７１が押付ロール１０と印刷ロール２０との間に回流され再利用可能である。
【００２１】
また、光反射にかわの滴下箇所または落下箇所では、光反射にかわを収集して回流するための受け盤を設けてもいい。
【００２２】
また、図５を参照する。前記紙吸着ロール９０は、金属で作製されたものであり、腐食し難く、なお、内部が中空部９１に形成され、周面に貫通孔９２が複数に開設してあり、図３に示すように、ポスター５０が前記貫通孔９２を通す真空によって吸着されて排出方向へ搬送され、その上には、ポスター５０を正確な方向に案内するための案内プレート９３が設けてあり、これにより、ポスター５０は前記紙吸着ロール９０に巻き込まれないようになる。
【００２３】
前記紙吸着ロール９０は持続に回転しており、なお、複数の貫通孔９２に真空による吸引力が持続に発生しており、光反射薄膜が塗布されたポスター５０は高圧エアにより印刷ロール２０から剥離するときに、ポスター５０が前記紙吸着ロール９０にある複数の貫通孔９２に吸着され、しかし、紙吸着ロール９０の断面形状が円形であるので、搬送を持続すると、ポスター５０が紙吸着ロール９０に巻き込まれる筈であるので、紙吸着ロール９０の上には、ポスター５０を正確な方向に案内するための案内プレート９３が設けてあり、前記案内プレート９３の規制により、ポスター５０は、前記紙吸着ロール９０に巻き込まれないようになり、乾燥装置に直進するようになり、且つ本考案の紙吸着ロール９０は、金属で作製されたものであるので、光反射にかわに腐食し難く、保全周期を長く延び可能であり、生産性が向上し、そして紙吸着ロール９０の長さが短いので、より小さいスペースでも設備を設置することが可能である。
【図面の簡単な説明】
【００２４】
【図１】本考案の光反射薄膜塗布機の斜視図である。
【図２】本考案の光反射薄膜塗布機の断面図である。
【図３】本考案の光反射薄膜塗布機の実施例の断面図である。
【図４】本考案の光反射薄膜塗布機の一部の斜視図である。
【図５】本考案の光反射薄膜塗布機の紙吸着ロールの一側から見た斜視図である。
【符号の説明】
【００２５】
１０      押付ロール
１１      作動シリンダー
１２      スクレーパー
２０      印刷ロール
２１      作動シリンダー
３０      押上げロール
３１      スクレーパー
４０      エア吹付け構成
５０      ポスター
６０      モータ
７０      光反射にかわ注入管
７１      光反射にかわ
８０      受け盤
９０      紙吸着ロール
９１      中空部
９２      貫通孔
９３      案内プレート
【図１】
0003133618.tif 000003
【図２】
0003133618.tif 000004
【図３】
0003133618.tif 000005
【図４】
0003133618.tif 000006
【図５】
0003133618.tif 000007